【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
複数の缶を装飾するように構成された缶装飾機用のインクステーションアセンブリにおいて、
インクの供給をするように構成されたインク溜めと、
前記インク溜めから前記インクを受け取るように構成されたインク溜めロールと、
分配ロールと、
前記インク溜めロールと前記分配ロールと協動して、前記インク溜めロールから前記分配ロールに前記インクを移送する呼出しロールと、
各々が長手軸を有しており、前記長手軸に沿って前後に振動するように構成された複数の振動ロールと、
各々が前記複数の振動ロールの中の少なくとも１つと協動する複数の転移ロールと、
印刷プレートを含む印刷プレートシリンダと、
前記印刷プレートシリンダと協動して、前記印刷プレートに前記インクを塗布する単一フォームロールと、
を備えるインクステーションアセンブリ。
【請求項２】
前記単一フォームロールは、第１の直径を有しており、
前記印刷プレートシリンダは、第２の直径を有しており、
前記単一フォームロールの第１の直径は、前記印刷プレートシリンダの第２の直径よりも大きい、請求項１に記載のインクステーションアセンブリ。
【請求項３】
前記単一フォームロールが１回転する前に前記印刷プレートシリンダが１回転して、前記単一フォームロールのどの部分も、１回転当たり１回を超えて前記印刷プレートシリンダに接触しないようにする、請求項２に記載のインクステーションアセンブリ。
【請求項４】
前記単一フォームロールの第１の直径は、５インチよりも大きい、請求項２に記載のインクステーションアセンブリ。
【請求項５】
前記複数の振動ロールは、第１振動ロール及び第２振動ロールであり、
前記複数の転移ロールは、第１転移ロール及び第２転移ロールであり、
前記第１転移ロールは、前記分配ロール及び前記第１振動ロールと協動し、
前記第２転移ロールは、前記第１振動ロール及び前記第２振動ロールと協動する、請求項１に記載のインクステーションアセンブリ。
【請求項６】
前記第１振動ロール及び前記第２振動ロールは、前記単一フォームロールと協動する、請求項５に記載のインクステーションアセンブリ。
【請求項７】
ライダーロールを更に含んでおり、前記ライダーロールは、前記単一フォームロールと協動して、前記印刷プレートによってインクが取り除かれた領域に、残ったインクを平らにして且つ再分配する、請求項５に記載のインクステーションアセンブリ。
【請求項８】
前記インクは、前記インク溜まりから前記印刷プレートシリンダに転送されるように、インクトレインを構成し、
前記インクトレインは、前記インク溜めロールが時計回りに回転し、前記呼出しロールが反時計回りに回転し、前記分配ロールが時計回りに回転し、前記第１転移ロールが反時計回りに回転し、前記第１振動ロールが時計回りに回転し、前記第２転移ロールが反時計回りに回転し、前記第２振動ロールが時計回りに回転し、前記単一フォームロールが反時計回りに回転し、前記印刷プレートシリンダが時計回りに回転し、前記ライダーロールが時計回りに回転することによって規定される、
請求項７に記載のインクステーションアセンブリ。
【請求項９】
前記呼出しロールは、前記インク溜めロールと協動する前記呼出しロールに対応する第１の位置と、前記分配ロールと協動する前記呼出しロールに対応する第２の位置との間で回転可能である、請求項１に記載のインクステーションアセンブリ。
【請求項１０】
第１サイドプレートと、前記第１サイドプレートと対向するように前記第１サイドプレートにから離れて配置された第２サイドプレートと、駆動アセンブリと、前記駆動アセンブリを少なくとも部分的に収容するハウジングとを更に含んでおり、
前記第１サイドプレートは、第１側及び第２側を有し、
前記インク溜めロール、前記分配ロール、前記呼出しロール、前記複数の振動ロール、前記複数の転移ロール、及び前記単一フォームロールは、前記第１サイドプレートと前記第２サイドプレートの間にて、前記第１サイドプレートの第１側に回転自在に配置されており、
前記駆動アセンブリは、前記第１サイドプレートの第２側に配置され、
前記駆動アセンブリは、少なくとも前記インク溜めロール、前記分配ロール、及び前記複数の振動ロールを駆動し、
前記駆動アセンブリは、前記複数の振動ロールを振動させる、
請求項１に記載のインクステーションアセンブリ。
【請求項１１】
缶を装飾するための缶装飾機であって、
複数の画像転写セグメントと、前記複数の画像転写セグメント上に配置されたブランケットとを含むブランケットホイールと、請求項１乃至１０の何れかに記載の複数のインクステーションアセンブリとを含んでおり、
前記ブランケットは、対応する缶の１つに画像を転写するように構成されている、缶装飾機。
【請求項１２】
ブランケットと複数の画像転写セグメントとを備えた缶装飾機を用いた缶装飾方法であって、
（ａ）インクステーションアセンブリを準備する工程であって、前記インクステーションアセンブリは、
駆動アセンブリと、
インクを供給するインク溜めと、
前記インク溜めから前記インクを受け取るインク溜めロールと、
分配ロールと、
前記インク溜めロール及び前記分配ロールと協動して、前記インク溜めロールから前記分配ロールに前記インクを移送する呼出しロールと、
各々が長手軸を有しており、前記長手軸に沿って前後に振動するように構成された複数の振動ロールと、
各々が前記複数の振動ロールの中の少なくとも１つと協動する複数の転移ロールと、
印刷プレートを含む印刷プレートシリンダと、
前記印刷プレートシリンダと協動する単一フォームロールと、
を含んでいる工程と、
（ｂ）前記駆動アセンブリを動作させて、前記インク溜めロール、前記分配ロール、及び前記複数の振動ロールの中の少なくとも１つを動かして、前記インク溜めから前記単一フォームロールにインクを移送する工程と、
（ｃ）前記単一フォームロールのインクで、前記印刷プレートシリンダの前記印刷プレートをコートする工程と、
（ｄ）前記ブランケットを回転させて、前記印刷プレートを、前記複数の画像転写セグメント中の対応する１つにて又はその付近で、前記ブランケットと接触させる工程と、
（ｅ）前記ブランケット上に画像を生成する工程と、
（ｆ）前記ブランケットと、前記複数の缶の中の対応する１つと係合する工程と、
（ｇ）前記画像をその缶に転送する工程と、
を含む缶装飾方法。
【請求項１３】
更に、前記印刷プレートシリンダは、前記単一フォームロールが１回転する前に１回転して、前記フォームロールの何れの部分も、１回転当たり１回を超えて前記印刷プレートと接触しないようにする、
請求項１２に記載の方法。
【請求項１４】
更に、第１振動ロール、第２振動ロール、第１転移ロール、第２転移ロール、及びライダーロールを含むインクステーションアセンブリを準備する工程と、
前記インク溜めロールを時計回りに回転させる工程と、
前記呼出しロールを反時計回りに回転させる工程と、
前記分配ロールを時計回りに回転させる工程と、
前記第１転移ロールを反時計周りに回転させる工程と、
前記第１振動ロールを時計回りに回転させる工程と、
前記第２転移ロールを反時計回りに回転させる工程と、
前記第２振動ロールを時計回りに回転させる工程と、
前記単一フォームロールを反時計回りに回転させる工程と、
前記印刷プレートシリンダを時計回りに回転させる工程と、
前記ライダーロールを時計回りに回転させる工程と、
を含む請求項１２に記載の方法。
【請求項１５】
更に、前記缶装飾機は、８つのインクステーションアセンブリを含む、請求項１２に記載の方法。